(57)【特許請求の範囲】
【請求項１】
二重枠タイプのフィルターレンズ枠２３は円偏光フィルターレンズ８を内蔵する前枠１７とデジタルカメラのレンズ鏡筒への装着用後枠１９からなり、前記円偏光フィルターレンズ８を内蔵する前枠１７はデジタルカメラのレンズ鏡筒前面に後枠１９を装着した後に前枠１７を回転させることにより前記円偏光フィルターレンズ８の角度可変を可能にした円偏光フィルターレンズ８において、
前記フィルターレンズ枠２３に装着される円偏光フィルターレンズ８は第一のフィルターレンズ基板１と第二のフィルターレンズ基板２の間に偏光板３と１／４位相差板４を配置した構成を有し、
該第一のフィルターレンズ基板１と第二のフィルターレンズ基板２は第一のフィルターレンズ基板の表面側１３や第二のフィルターレンズ基板の裏面側１６を選択してイオンプレーティングや低温成膜スパッタリングにて金属材料をコーティングすることで円偏光フィルターレンズ８全体の光の透過率を２０％以下にした第一の減光フィルター１１と第二の減光フィルター１２を形成し、
該第一の減光フィルター１１と偏光板３並びに１／４位相差板４と第二の減光フィルター１２を夫々接着剤層５、６、７を介して七層構造に一体化することにより円偏光フィルターの機能と減光フィルターの機能を備えたことを特徴とするデジタルカメラ用の特殊機能付き円偏光フィルター。
【請求項２】
前記円偏光フィルターレンズ８を構成する第一のフィルターレンズ基板１は第一のフィルターレンズ基板の表面側１３または第一のフィルターレンズ基板の裏面側１４のみに、
または第一のフィルターレンズ基板の表面側１３と第一のフィルターレンズ基板の裏面側１４の両面側に夫々イオンプレーティングや低温成膜スパッタリングにて金属材料をコーティングして円偏光フィルターレンズ全体８の光の透過率を２０％以下にした第一の減光フィルター１１を形成し、
該第一の減光フィルター１１と偏光板３並びに１／４位相差板４と第二のフィルターレンズ基板２を夫々接着剤層５、６、７を介して七層構造に一体化することにより円偏光フィルターの機能と減光フィルターの機能を備えたことを特徴とする請求項１に記載されたデジタルカメラ用の特殊機能付き円偏光フィルター。
【請求項３】
前記円偏光フィルターレンズ８を構成する第二のフィルターレンズ基板２は第二のフィルターレンズ基板の表面側１５または第二のフィルターレンズ基板の裏面側１６のみに、
または第二のフィルターレンズ基板の表面側１５と第二のフィルターレンズ基板の裏面側１６の両面側に夫々イオンプレーティングや低温成膜スパッタリングにて金属材料をコーティングして円偏光フィルターレンズ８全体の光の透過率を２０％以下にした第二の減光フィルター２を形成し、
該第二の減光フィルター１２は第一のフィルターレンズ基板１と偏光板３並びに１／４位相差板４と第二の減光フィルター１２を夫々接着剤層５、６、７を介して七層構造に一体化することにより円偏光フィルターの機能と減光フィルターの機能を備えたことを特徴とする請求項１に記載されたデジタルカメラ用の特殊機能付き円偏光フィルター。
【請求項４】
前記円偏光フィルターレンズ８を構成する第一のフィルターレンズ基板１及び第二のフィルターレンズ基板２はプラスチック製となし光の透過率を２０％以下にするためにイオンプレーティングや低温成膜スパッタリングにて金属材料をコーティングして第一の減光フィルター１１や第二の減光フィルター１２を形成し、
該第一の減光フィルター１１または第二の減光フィルター１２を適宜選択して円偏光フィルターレンズ８を形成することを特徴とする請求項１乃至請求項３のいずれかに記載されたデジタルカメラ用の特殊機能付き円偏光フィルター。
【発明の詳細な説明】
【技術分野】
【０００１】
本発明は、デジタルカメラ用に開発された特殊機能付き円偏光フィルターに関するものである。
【０００２】
本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）に関するものである。
【背景技術】
【０００３】
従来、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたい場合には、デジタルカメラの鏡筒前面に円偏光フィルターとＮＤフィルター（減光フィルター）を二枚重ねて装着し、該円偏光フィルターにより水面や撮影対象物からの表面反射をさえぎりながら、二枚重ねたＮＤフィルターで昼間の明るいところでもシャッタースピードを数秒から数１０秒の低速にセットして独特の効果を表現していた。
【０００４】
然しながら上述した方法による滝や渓谷での水の流れ、水面に浮かぶ落ち葉や花びらなどの撮影を既存のフィルターを用いて撮影しようとすると、この撮影には、円偏光フィルターと例えばＮＤ４とＮＤ８クラスの２種類のＮＤフィルターが必要になり、該三枚合わせのフィルターによる撮影はフィルターを重ねたぶん光の透過率が余分に減少したり、フィルター枠が三枚分と厚くなることで、画面四方にケラレが生じるのであまり良い使用方法ではなく、更に撮影現場では、フィルターの三枚重ねの装着は煩雑で時間がかかり、シャッターチャンスを逃すことにもなる。
【０００５】
また、デジタル一眼レフカメラ用のフィルターをレンズ鏡筒前面に二枚重ねにして使用する方法に関しては、特開２００４−１３３１５５号（以下、特許文献１と称する）にて、次のような使用方法と見解が開示されている。
【０００６】
即ち、特許文献１の段落番号０００２〜０００３には、従来より偏光フィルターと希土類含有ガラスを用いたカラー強調用フィルターはそれぞれ個別に在存しており、該二つのフィルターの効果を同時に欲しい場合には偏光フィルターとカラー強調用フィルターを二枚重ねて撮影に使用していた。然しながら、フィルターの二枚重ねは、フィルターを重ね合わせることで光の透過率が減少することや、広角レンズに使用した場合フィルター枠が厚くなることで、画面四方にケラレが生じることもあり、あまり一般的な使用方法ではなかった。また、撮影現場では、フィルターの二枚重ねは操作が煩雑で時間がかかり、シャッターチャンスを逃すことにもなると、記載されているようにフィルターの二枚、または三枚重ねの使用方法はいろいろな欠点を有している特殊撮影方法であることがわかる。
【先行技術文献】
【特許文献】
【０００７】
特許文献１  特開２００４−１３３１５５号公報
【発明の概要】
【発明が解決しようとする課題】
【０００８】
本発明が解決しようとする課題は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）に関するものであり、本発明における特殊機能付き円偏光フィルターは、従来の三枚合わせのフィルターによる滝や渓谷での水の流れ、水面に浮かぶ落ち葉や花びらなどの撮影上の不都合さや欠点を解消するものである。
【０００９】
また、特殊機能付き円偏光フィルターにおいて主目的を達成するための減光フィルターが、従来光学系ガラスからなるフィルターレンズに金属材料を高温、且つ高速度で衝突させて溶着するスパッタリングや真空蒸着方法を採用して製作しているために、光学系ガラスからなる減光フィルターレンズ基板に傷や歪みを生じさせることが多いが、本発明は、この欠点を解消するものである。
【課題を解決するための手段】
【００１０】
本発明の構成おける二重枠タイプのフィルターレンズ枠は、円偏光フィルターレンズを内蔵する前枠とデジタルカメラのレンズ鏡筒への装着用後枠からなり、前記円偏光フィルターレンズを内蔵する前枠はデジタルカメラのレンズ鏡筒前面に後枠を装着した後に前枠を回転させることにより前記円偏光フィルターレンズの角度可変を可能にした円偏光フィルターレンズにおいて、前記フィルターレンズ枠に装着される円偏光フィルターレンズは第一のフィルターレンズ基板と第二のフィルターレンズ基板の間に偏光板と１／４位相差板を配置した構成を有し、該第一のフィルターレンズ基板と第二のフィルターレンズ基板は第一のフィルターレンズ基板の表面側や第二のフィルターレンズ基板の裏面側を選択してイオンプレーティングや低温成膜スパッタリングにて金属材料をコーティングすることで円偏光フィルターレンズ全体の光の透過率を２０％以下にした第一の減光フィルターと第二の減光フィルターを形成し、該第一の減光フィルターと偏光板並びに１／４位相差板と第二の減光フィルターを夫々接着剤層を介して七層構造に一体化することにより円偏光フィルターの機能と減光フィルターの機能を備えたデジタルカメラ用の特殊機能付き円偏光フィルターを提供するものである。
【００１１】
また、本発明において、前記円偏光フィルターレンズを構成する第一のフィルターレンズ基板は、第一のフィルターレンズ基板の表面側、または第一のフィルターレンズ基板の裏面側のみに、または第一のフィルターレンズ基板の表面側と第一のフィルターレンズ基板の裏面側の両面側に夫々イオンプレーティングや低温成膜スパッタリングにて金属材料をコーティングして円偏光フィルターレンズ全体の光の透過率を２０％以下にした第一の減光フィルターを形成し、該第一の減光フィルターと偏光板、並びに１／４位相差板と第二のフィルターレンズ基板を夫々接着剤層を介して七層構造に一体化することにより円偏光フィルターの機能と減光フィルターの機能を備えたデジタルカメラ用の特殊機能付き円偏光フィルターを提供するものである。
【００１２】
更に、本発明において、前記円偏光フィルターレンズを構成する第二のフィルターレンズ基板は、第二のフィルターレンズ基板の表面側または第二のフィルターレンズ基板の裏面側のみに、または第二のフィルターレンズ基板の表面側と第二のフィルターレンズ基板の裏面側の両面側に夫々イオンプレーティングや低温成膜スパッタリングにて金属材料をコーティングして円偏光フィルターレンズ全体の光の透過率を２０％以下にした第二の減光フィルターを形成し、該第二の減光フィルターは第一のフィルターレンズ基板と偏光板、並びに１／４位相差板４と第二の減光フィルターを夫々接着剤層を介して七層構造に一体化することにより円偏光フィルターの機能と減光フィルターの機能を備えたデジタルカメラ用の特殊機能付き円偏光フィルターを提供するものである。
【００１３】
而して、本発明は、前記円偏光フィルターレンズを構成する第一のフィルターレンズ基板及び第二のフィルターレンズ基板は、プラスチック製となし、光の透過率を２０％以下にするためにイオンプレーティングや低温成膜スパッタリングにて金属材料をコーティングして第一の減光フィルターや第二の減光フィルターを形成し、該第一の減光フィルター、または第二の減光フィルターを適宜選択して円偏光フィルターレンズを形成するものである。
【発明の効果】
【００１４】
斯くして、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００１５】
また、本発明は、既成のＮＤフィルターを重ねることにより光の透過率が過分に減少してその時の状況に合わない透過率を作り出してしまう欠点を解消でき、また、本発明は、専用の特殊機能付きフィルターレンズを製作して１枚のフィルター枠に内蔵することにより従来装置の如くフィルター枠が三枚分と厚くなることを防止して画面四方にケラレが生じる欠点を解消できるものである。
【００１６】
更に、滝や渓谷など水辺での撮影現場では、特に撮影対象物の現況が一刻一刻変化するため、フィルターの三枚重ねなどの撮影準備は煩雑で時間がかかり、シャッターチャンスを逃すことになりがちであるが、本発明では、このような不都合をも解消できるものである。
【００１７】
そして、本発明は、特殊機能付き円偏光フィルターにおいてその主目的を達成するための減光フィルターが、従来光学系ガラスからなるフィルターレンズに金属材料を高温、且つ高速度で衝突させて溶着するスパッタリングや真空蒸着方法を採用して製作しているために、光学系ガラスからなるフィルターレンズに傷や歪みを生じせしめていることに鑑み、第一のフィルターレンズ基板の単体時または第二のフィルターレンズ基板の単体時において第一及び第二のフィルターレンズ基板の表面側または裏面側を選択してイオンプレーティングにて金属材料をコーティングする構成として、光学系ガラスからなるフィルターレンズに金属材料を高温、且つ高速度で衝突させて溶着する従来のスパッタリングや真空蒸着方法の如く、光学系ガラスからなるフィルターレンズ基板に傷や歪みを生じせしめない理想の製造方法が提供可能である。
【００１８】
更にまた、本発明は、円偏光フィルターの組立において、第一のフィルターレンズ基板や第二のフィルターレンズ基板の表側、或いは裏側にイオンプレーティングや低温成膜スパッタリングを施し、該イオンプレーティングや低温成膜スパッタリング面を円偏光フィルターの外部面とすることや、他のフィルター構成部材に接着剤層を介して貼着することでイオンプレーティングや低温成膜スパッタリング面を保護可能であること、並びにイオンプレーティングや低温成膜スパッタリングはプラスチックス板材表面にもコーティング並びに溶着可能であることから、低価格の減光フィルターレンズが製作可能となり、当然のことながら安価な円偏光フィルターを容易に提供できる。
【図面の簡単な説明】
【００１９】
【図１】（Ａ）本発明の実施例１を説明する部材配列図。         （Ｂ）本発明の実施例１を説明する要部断面図。
【図２】（Ａ）本発明に使用されるフィルターレンズ装着用枠の組み立て部品図。         （Ｂ）図４（Ａ）の要部拡大断面図。
【図３】（Ａ）本発明の実施例２を説明する部材配列図。         （Ｂ）本発明の実施例２を説明する要部断面図。
【図４】（Ａ）本発明の実施例３を説明する部材配列図。         （Ｂ）本発明の実施例３を説明する要部断面図。
【発明を実施するための形態】
【００２０】
本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）に関するものである。
【００２１】
従来、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたい場合には、デジタルカメラの鏡筒前面に円偏光フィルターとＮＤフィルターを二枚重ねて装着し、該円偏光フィルターにより水面や撮影対象物からの表面反射をさえぎりながら、二枚重ねたＮＤフィルターで昼間の明るいところでもシャッタースピードを数秒から数１０秒の低速にセットして独特の効果を表現していた。
【００２２】
然しながら上述した方法により滝や渓谷での水の流れ、水面に浮かぶ落ち葉や花びらなどの撮影を既存のフィルターを用いて撮影しようとすると、この撮影には、円偏光フィルターと例えばＮＤ４とＮＤ８クラスの２種類のＮＤフィルターが必要になり、該三枚合わせのフィルターによる撮影はフィルターを重ねることにより光の透過率が過分に減少したり、フィルター枠が三枚分と厚くなることで、画面四方にケラレが生じるのであまり良い使用方法ではなく、更に撮影現場では、フィルターの三枚重ねの装着は煩雑で時間がかかり、シャッターチャンスを逃すことにもなる。
【００２３】
斯くして、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）に関するものであり、本発明における前記の特殊機能付き円偏光フィルターは、従来の三枚合わせのフィルターによる滝や渓谷での水の流れ、水面に浮かぶ落ち葉や花びらなどの撮影上の不都合さや欠点を解消するものである。
【００２４】
本発明は、デジタルカメラのレンズ鏡筒前面に着脱自在な二重枠タイプのフィルター枠が装着され、該二重枠タイプのフィルター枠は円偏光フィルターレンズを内蔵する前枠とデジタルカメラのレンズ鏡筒への装着用後枠からなり、前記円偏光フィルターレンズを内蔵する前枠はデジタルカメラのレンズ鏡筒前面に後枠を装着した後に前枠を回転させることにより前記円偏光フィルターレンズの角度可変を可能にした円偏光フィルターレンズにおいて、前記円偏光フィルターレンズは第一のフィルターレンズ基板と第二のフィルターレンズ基板の間に偏光板と１／４位相差板を配置した構成を有し、前記第一のフィルターレンズ基板の単体時または第二のフィルターレンズ基板の単体時において第一及び第二のフィルターレンズ基板の表面側または裏面側を選択してイオンプレーティングにて金属材料をコーティングして円偏光フィルターレンズ全体の光の透過率を２０％以下にした第一の減光フィルターまたは第二の減光フィルターを形成し、前記第一の減光フィルターと偏光板並びに１／４位相差板と第二の減光フィルターを夫々接着剤層を介して七層構造に一体化して円偏光フィルターレンズを製作したデジタルカメラ用の特殊機能付き円偏光フィルターであることが好ましい。
【００２５】
また、本発明において、前記円偏光フィルターレンズを構成する第一のフィルターレンズ基板は、該第一のフィルターレンズの単体時にその第一のフィルターレンズ基板の表面側または裏面側のみ、或いは表面側と裏面側に夫々イオンプレーティングにて金属材料をコーティングして円偏光フィルターレンズ全体の光の透過率を２０％以下にした第一の減光フィルターを形成し、該第一の減光フィルターと偏光板並びに１／４位相差板と第二のフィルターレンズ基板を夫々接着剤層を介して七層構造に一体化して円偏光フィルターレンズを製作し、該円偏光フィルターレンズを二重枠タイプのフィルター枠に装着したデジタルカメラ用の特殊機能付き円偏光フィルターであることが好ましい。
【００２６】
更に、本発明において、前記円偏光フィルターレンズを構成する第二のフィルターレンズ基板は、該第二のフィルターレンズの単体時にその第二のフィルターレンズ基板の表面側または裏面側のみ、或いは表面側と裏面側に夫々イオンプレーティングにて金属材料をコーティングして円偏光フィルターレンズ全体の光の透過率を２０％以下にした第二の減光フィルターを形成し、該第二の減光フィルターは第一のフィルター基板と偏光板並びに１／４位相差板と第二の減光フィルターを夫々接着剤層を介して七層構造に一体化して円偏光フィルターレンズを製作し、該円偏光フィルターレンズを二重枠タイプのフィルター枠に装着したデジタルカメラ用の特殊機能付き円偏光フィルターであることが好ましい。
【００２７】
而して、本発明において、前記円偏光フィルターレンズを構成する第一のフィルターレンズ基板及び第二のフィルターレンズ基板は、プラスチック製となし光の透過率を２０％以下にするためにイオンプレーティングにて金属材料をコーティングして第一の減光フィルターまたは第二の減光フィルターを形成し、該第一または第二の減光フィルターを適宜選択して円偏光フィルターレンズを形成するデジタルカメラ用の特殊機能付き円偏光フィルターであることが好ましい。
【００２８】
斯くして、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００２９】
また、本発明は、既成のＮＤフィルターを重ねることにより光の透過率が過分に減少してその時の状況に合わない透過率を作り出してしまう欠点を解消でき、また、本発明は、専用の特殊機能付きフィルターレンズを一枚製作して、該一枚のフィルター枠に内蔵することにより従来装置の如くフィルター枠が三枚分と厚くなることを防止して画面四方にケラレが生じる欠点を解消できるものである。
【００３０】
更にまた、滝や渓谷など水辺での撮影現場では、特に撮影対象物の現況が一刻一刻変化するため、フィルターの三枚重ねなどの撮影準備は煩雑で時間がかかり、シャッターチャンスを逃すことになりがちであるが、本発明はこのような不都合をも解消できるものである。
【００３１】
そして、本発明は、特殊機能付き円偏光フィルターレンズにおいてその主目的を達成するための減光フィルターが、従来光学系ガラスからなるフィルターレンズに金属材料を高温、且つ高速度で衝突させて溶着するスパッタリングや真空蒸着方法を採用して製作しているために、光学系ガラスからなるフィルターレンズに傷や歪みを生じせしめていることに鑑み、第一のフィルターレンズ基板の単体時または第二のフィルターレンズ基板の単体時において第一及び第二のフィルターレンズ基板の表面側または裏面側を選択してイオンプレーティングにて金属材料をコーティングする構成として、光学系ガラスからなるフィルターレンズに金属材料を高温、且つ高速度で衝突させて溶着する従来のスパッタリングや真空蒸着方法の如く、光学系ガラスからなるフィルターレンズ基板に傷や歪みを生じせしめない理想の製造方法が提供可能である。
【００３２】
また、本発明は、円偏光フィルターレンズの組立において、第一のフィルターレンズ基板や第二のフィルターレンズ基板の表側、或いは裏側にイオンプレーティングを施し、該イオンプレーティングによるコーティング面を円偏光フィルターレンズの外部面とすることや、他のフィルター構成部材に接着剤層を介して貼着することでイオンプレーティングのコーティング面を保護可能であること、並びにイオンプレーティングはプラスチック板材表面にもコーティング可能であることから、低価格の減光フィルターが製作可能となり、当然のことながら安価な円偏光フィルターレンズを容易に提供できる。
【実施例１】
【００３３】
図１において、図１（Ａ）は本発明の実施例１を説明する部材の配列図、図１（Ｂ）は本発明の実施例１を説明する断面図である。図１（Ａ）、（Ｂ）において、１は第一のフィルターレンズ基板、２は第二のフィルターレンズ基板であり、該第一のフィルターレンズ基板１と第二のフィルターレンズ基板２間には偏光板３と１／４位相差板４が配置され、該第一のフィルターレンズ基板１と偏光版３の間には接着剤層５が配置され、偏光版３と１／４位相差板４の間には接着剤層６が配置され、また、１／４位相差板４と第二のフィルターレンズ基板２の間には接着剤層７が配置されており、前記、第一のフィルターレンズ基板１、偏光板３、１／４位相差板４、並びに第二のフィルターレンズ基板２は図１（Ｂ）の如く前記接着剤層５、６、７により互いに接着されて七層構造に一体化されている。
【００３４】
また、図１（Ａ）、（Ｂ）において、Ｃは円偏光フィルターレンズ８の光軸、９は被写体側、１０はカメラレンズ鏡筒側を示しており、また、前記第一のフィルターレンズ基板１と第二のフィルターレンズ基板２は組立前の単体時に夫々選択されて第一の減光フィルター１１や第二の減光フィルター１２に加工されるものである。
尚、前記偏光板３と１／４位相差板４はその素材及び厚さからして、デリケートなもので、偏光板３と１／４位相差板４の間を接着剤層６を介して一体化されて製造現場に供給される場合もある。
【００３５】
斯くして、実施例１において、第一のフィルターレンズ基板１を第一の減光フィルター１１に加工する工程は、前記第一のフィルターレンズ基板１の表面側１３（被写体側９）にイオンプレーティングにて金属材料（酸化チタンやフッ化マグネシュムの混合物）をコーティング加工して、該第一のフィルターレンズ基板１の光の透過率を２０％以下にしたもので、これを第一の減光フィルター１１とする。
【００３６】
また、実施例１の他の工程では、前記第一のフィルターレンズ基板１の裏面側１４（接着剤層５側）にイオンプレーティングにて金属材料（酸化チタンやフッ化マグネシュムの混合物）をコーティングして、該第一のフィルターレンズ基板１の光の透過率を２０％以下にした第一の減光フィルター１１を形成する。
【００３７】
更に、実施例において、前記第二のフィルターレンズ基板２の表面側１５（接着剤層７側）や第二のフィルターレンズ２の裏側１６（カメラレンズ鏡筒側１０）を選択してイオンプレーティングにて金属材料（酸化チタンやフッ化マグネシュムの混合物）をコーティングして、該第二のフィルターレンズ基板２の光の透過率を２０％以下に加工することにより、第二の減光フィルターレンズ１２を形成する。
【００３８】
そして、本発明の実施例１は、第一のフィルターレンズ基板１の表面側１３や第二のフィルターレンズ基板２の裏面側１６を任意に選択してイオンプレーティング加工した第一の減光フィルター１１と第二の減光フィルター１２を形成し、該第一の減光フィルター１１と第二の減光フィルター１２を偏光板３及び１／４位相差板４を介して接着し円偏光フィルター８を構成するものである。
【００３９】
また本発明の実施例１では、第一のフィルターレンズ基板１の裏面側１４（接着剤層５側）や第二のフィルターレンズ基板２の表面側１５（接着剤層７側）を選択してイオンプレーティング加工を施し第一の減光フィルター１１や第二の減光フィルター１２を形成し、該第一の減光フィルター１１と第二の減光フィルター１２を偏光板３及び１／４位相差板４を介して接着し円偏光フィルターレンズ８を構成することも可能であり、この実施例では、イオンプレーティングにて加工されたコーティング面が接着剤層５や接着剤層７を介して偏光板３や１／４位相差板４に覆われることになり、密着力の弱い金属材料をコーティングした場合には大変有効な構成となる。
【００４０】
尚、イオンプレーティングは、原則としてガスプラズマを利用して、蒸発粒子の一部をイオンもしくは励起粒子として活性化して蒸着するものであり、低ガス圧の領域で低温プラズマを用いることが多く被コーティング材となる第一のフィルターレンズ基板１や第二のフィルターレンズ基板２の表面温度が５０℃以下で加工できるもので、従来の真空蒸着加工の如く蒸着用金属材料を高温、且つ高速度で衝突させて溶着するものではなく、従来の蒸着方法に比較して、溶着によるフィルターレンズ基板の傷や歪みを生じさせることが少ない。
【００４１】
斯くして、図２（Ａ）、（Ｂ）は、上述した実施例１におけるデジタルカメラ用の特殊機能付き円偏光フィルターレンズ８をデジタル一眼レフカメラのレンズ鏡筒前面に回転着脱自在に取り付けるための具体例を示すものであり、図２（Ａ）は、フィルターレンズ用装着枠を説明する組み立て部品図、図２（Ｂ）は、フィルターレンズ用装着枠を説明する要部拡大断面図である。
【００４２】
図２（Ａ）、（Ｂ）において、Ｃはフィルターレンズの光軸、８は円偏光フィルターレンズ、１７は前枠、１８は回転部ワッシャー、１９は後枠で、前記前枠１７の前面には、他のアタッチメント装着用の雌ネジ２０、フィルターレンズ嵌合部２１、並びに回転部ワッシャー１８の嵌合溝２２ａが刻設されており、また後枠１９には同様に前記回転部ワッシャー１８を介して前枠１７を後枠１９に対して回転可能に装着できる嵌合溝２２ｂが刻設されている。
【００４３】
尚、２３は組み立てられたフィルターレンズ用装着枠を示し、２４はカメラレンズ鏡筒の前面にフィルターレンズ用装着枠２３を着脱自在に取付けるための雄ネジであり、実施例１の円偏光フィルターレンズ８は前記フィルターレンズ嵌合部２１に嵌合されその背面でカシメられていて前枠１７に嵌着されている。また、フィルターレンズ枠２３は後枠１９をカメラレンズの鏡筒前面に螺着した場合、円偏光フィルターレンズ８を嵌着した前枠１７がフィルターレンズの光軸Ｃを中心に回転可能で、前記円偏光フィルターレンズ８に内蔵された偏光板３（図１に示す）の角度を自由に変えることにより被写体からの反射光を取り除く作用をするものである。
【００４４】
斯くして、実施例１は、デジタルカメラのレンズ鏡筒前面に着脱自在な二重枠タイプのフィルター枠２３が装着され該二重枠タイプのフィルター枠２３は円偏光フィルターレンズ８を内蔵する前枠１７とデジタルカメラのレンズ鏡筒への装着用後枠１９からなり、前記円偏光フィルターレンズ８を内蔵する前枠１７はデジタルカメラのレンズ鏡筒前面に後枠１９を装着した後に前枠１７を回転させることにより前記円偏光フィルターレンズ８の角度可変を可能にした円偏光フィルターレンズ８において、前記円偏光フィルターレンズ８は第一のフィルターレンズ基板１と第二のフィルターレンズ基板２の間に偏光板３と１／４位相差板４を配置した構成を有し、前記第一のフィルターレンズ基板１の単体時または第二のフィルターレンズ基板２の単体時において第一及び第二のフィルターレンズ基板１、２の表面側１３、１５、または裏面側１４、１６を選択してイオンプレーティングにて金属材料をコーティングして円偏光フィルターレンズ８全体の光の透過率を２０％以下にした第一の減光フィルター１１または第二の減光フィルター１２を形成し、前記第一の減光フィルター１１と偏光板３並びに１／４位相差板４と第二の減光フィルター１２を夫々接着剤層５、６、７を介して七層構造に一体化して円偏光フィルターレンズ８を製作したデジタルカメラ用の特殊機能付き円偏光フィルターである。
【００４５】
尚、実施例１において、第一の減光フィルター１１及び第二の減光フィルター１２を加工する手法は、イオンプレーティングにて金属材料をコーティングする例を説明したが、この手法は、例えば、第一のフィルターレンズ基板１及び第二のフィルターレンズ基板２に光の透過率を２０％以下にするために、低温成膜スパッタリングにて金属材料を溶着して第一の減光フィルター１１、または第二の減光フィルター１２を形成し、該第一または第二の減光フィルター１１、１２を適宜選択して円偏光フィルターレンズ８を形成することが可能である。そして、上述した低温成膜スパッタリングにおいても加工基板材の表面温度は５０℃以下にて加工基板材の溶着加工が可能である。
【実施例２】
【００４６】
図３において、図３（Ａ）は本発明の実施例１を説明する部材の配列図、図３（Ｂ）は本発明の実施例３を説明する断面図である。図３（Ａ）、（Ｂ）において、１は第一のフィルターレンズ基板、２は第二のフィルターレンズ基板であり、該第一のフィルターレンズ基板１と第二のフィルターレンズ基板２間には偏光板３と１／４位相差板４が配置され、該第一のフィルターレンズ基板１と偏光版３の間には接着剤層５が配置され、偏光版３と１／４位相差板４の間には接着剤層６が配置され、また、１／４位相差板４と第二のフィルターレンズ基板２の間には接着剤層７が配置されており、前記、第一のフィルターレンズ基板１、偏光板３、１／４位相差板４、並びに第二のフィルターレンズ基板２は図３（Ｂ）の如く前記接着剤層５、６、７により互いに接着されて七層構造に一体化されている。
【００４７】
また、図３（Ａ）、（Ｂ）において、Ｃは円偏光フィルターレンズ８の光軸、９は被写体側、１０はカメラレンズ鏡筒側を示しており、また、前記第一のフィルターレンズ基板１と第二のフィルターレンズ基板２は組立前の単体時に夫々選択されて第一の減光フィルター１１や第二の減光フィルター１２に加工されるものである。
尚、前記偏光板３と１／４位相差板４はその素材及び厚さからして、デリケートなもので、偏光板３と１／４位相差板４の間を接着剤層６を介して一体化されて製造現場に供給される場合もある。
【００４８】
斯くして、実施例２において、円偏光フィルターレンズ８を構成する第一のフィルターレンズ基板１は、単体時に該第一のフィルターレンズ基板１の表面側１３、または裏面側１４のみ或いは表面側１３と裏面側１４に夫々イオンプレーティングにて金属材料をコーティングしてコーティング部２５ａ、２５ｂを造り、該コーティング部２５ａ、２５ｂにて円偏光フィルターレンズ８全体の光の透過率を２０％以下にした第一の減光フィルター１１を形成し、該第一の減光フィルター１１と偏光板並びに１／４位相差板と第二のフィルターレンズ基板２を夫々接着剤層５、６、７を介して七層構造に一体化して円偏光フィルターレンズ８を製作し、該円偏光フィルターレンズ８を図２（Ａ）、（Ｂ）に示す二重枠タイプのフィルターレンズ枠に２３に装着したデジタルカメラ用の特殊機能付き円偏光フィルターである。
【実施例３】
【００４９】
図４において、図４（Ａ）は本発明の実施例１を説明する部材の配列図、図４（Ｂ）は本発明の実施例３を説明する断面図である。図４（Ａ）、（Ｂ）において、１は第一のフィルターレンズ基板、２は第二のフィルターレンズ基板であり、該第一のフィルターレンズ基板１と第二のフィルターレンズ基板２間には偏光板３と１／４位相差板４が配置され、該第一のフィルターレンズ基板１と偏光版３の間には接着剤層５が配置され、偏光版３と１／４位相差板４の間には接着剤層６が配置され、また、１／４位相差板４と第二のフィルターレンズ基板２の間には接着剤層７が配置されており、前記、第一のフィルターレンズ基板１、偏光板３、１／４位相差板４、並びに第二のフィルターレンズ基板２は図４（Ｂ）の如く前記接着剤層５、６、７により互いに接着されて七層構造に一体化されている。
【００５０】
また、図３（Ａ）、（Ｂ）において、Ｃは円偏光フィルターレンズ８の光軸、９は被写体側、１０はカメラレンズ鏡筒側を示しており、また、前記第一のフィルターレンズ基板１と第二のフィルターレンズ基板２は組立前の単体時に夫々選択されて第一の減光フィルター１１や第二の減光フィルター１２に加工されるものである。
尚、前記偏光板３と１／４位相差板４はその素材及び厚さからして、デリケートなもので、偏光板３と１／４位相差板４の間を接着剤層６を介して一体化されて製造現場に供給される場合もある。
【００５１】
斯くして、実施例３において、円偏光フィルターレンズ８を構成する第二のフィルターレンズ基板２は、単体時に該第二のフィルターレンズ基板２の表面側１５または裏面側１６のみ、或いは表面側１５と裏面側１６に夫々イオンプレーティングにて金属材料をコーティングしてコーティング部２５ａ、２５ｂを造り、該コーティング部２５ａ、２５ｂにて円偏光フィルターレンズ８全体の光の透過率を２０％以下にした第二の減光フィルター１２を形成し、該第二の減光フィルター１２は第一のフィルター基板１と偏光板並びに１／４位相差板と第二の減光フィルター１２を夫々接着剤層を介して七層構造に一体化して円偏光フィルターレンズ８を製作し、該円偏光フィルターレンズ８図２（Ａ）、（Ｂ）に示す二重枠タイプのフィルター枠２３に装着したデジタルカメラ用の特殊機能付き円偏光フィルターを提供する。
【００５２】
本発明の実施例１乃至３にて実施されるイオンプレーティングは、原則としてガスプラズマを利用して、蒸発粒子の一部をイオンもしくは励起粒子として活性化して蒸着するものであり、低ガス圧の領域で低温プラズマを用いることが多く被コーティング材となる第一のフィルターレンズ基板１や第二のフィルターレンズ基板２の表面温度が５０℃以下で加工できるもので、従来の真空蒸着加工の如く蒸着用金属材料を高温、且つ高速度で衝突させて溶着するものではなく、従来の蒸着方法に比較して、溶着によるフィルターレンズ基板の傷や歪みを生じさせることが少ない。
【００５３】
また、イオンプレーティングは、低温で種々の金属材料をコーティング加工をできることから、プラスチック材料へのコーティングも可能な加工方法で、従来光学系ガラスを用いた第一、第二減光フィルターレンズ１１、１２をプラスチックに交換することも可能となり、低価格の減光フィルターレンズ１１が製作でき、当然のことながら安価な円偏光フィルター８を提供できる。
【００５４】
而して、本発明には、デジタル一眼レフカメラを用いて、滝や渓谷での水の流れを絹糸のように表現したり、水面に浮かぶ落ち葉や花びらで渦巻きに表現したい、或いは風を表現するために木の葉をブラして撮りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００５５】
そして、本発明は、既成のＮＤフィルターを重ねることにより光の透過率が過分に減少してその時の状況に合わない透過率を作り出してしまう従来の欠点を解消でき、また、専用の特殊機能付きフィルターレンズを製作して１枚のフィルター枠に内蔵することにより従来装置の如くフィルター枠が三枚分と厚くなることを防止して画面四方にケラレが生じる欠点を解消できるものである。
【００５６】
更に、滝や渓谷など水辺での撮影現場では、特に撮影対象物の現況が一刻一刻変化するため、フィルターの三枚重ねなどの撮影準備には煩雑で時間がかかり、シャッターチャンスを逃すことになりがちであるが、本発明は、このような不都合をも解消できるものである。
【００５７】
斯くして、従来の円偏光フィルターレンズにおいてその主目的を達成するための減光フィルターが、光学系ガラスからなるフィルターレンズに金属材料を高温、且つ高速度で衝突させて溶着するスパッタリングや真空蒸着方法を採用して製作しているために、光学系ガラスからなるフィルターレンズに傷や歪みを生じせしめていることに鑑み、本発明は、第一のフィルターレンズ基板の単体時または第二のフィルターレンズ基板の単体時において第一及び第二のフィルターレンズ基板の表面側、または裏面側を選択してイオンプレーティングにて金属材料をコーティングする構成として、光学系ガラスからなるフィルターレンズに金属材料を高温、且つ高速度で衝突させて溶着する従来のスパッタリングや真空蒸着方法の如く、光学系ガラスからなるフィルターレンズ基板に傷や歪みを生じせしめない理想の加工方法にて、円偏光フィルターレンズの提供可能である。
【００５８】
また、本発明は、円偏光フィルターレンズの組立において、第一のフィルターレンズ基板や第二のフィルターレンズ基板の表側或いは裏側にイオンプレーティングを施し、該イオンプレーティングによるコーティング面を円偏光フィルターレンズの外部面とすることや、他のフィルター構成部材に接着剤層を介して貼着することでイオンプレーティングのコーティング面を保護可能であること、並びにイオンプレーティングはプラスチック板材表面にもコーティング可能であることから、低価格の減光フィルターが製作可能となり、当然のことながら安価な円偏光フィルターレンズを容易に提供できる。
【符号の説明】
【００５９】
１  第一のフィルターレンズ基板
２  第二のフィルターレンズ基板
３  偏光板
４  １／４位相差板
５  接着剤層
６  接着剤層
７  接着剤層
８  円偏光フィルターレンズ
９  被写体側
１０  カメラレンズ鏡筒側
１１  第一の減光フィルター
１２  第二の減光フィルター
１３  第一のフィルターレンズ基板の表面側
１４  第一のフィルターレンズ基板の裏面側
１５  第二のフィルターレンズ基板の表面側
１６  第二のフィルターレンズ基板の裏面側
１７  前枠
１８  回転部ワッシャー
１９  後枠
２０  他のアタッチメント装着用の雌ネジ
２１  フィルターレンズ嵌合部
２２ａ、２２ｂ  嵌合溝
２３  フィルターレンズ枠
２４  雄ネジ
２５ａ、２５ｂ  コーティング部
Ｃ  光軸
【図１】
0005475061.tif 000002
【図２】
0005475061.tif 000003
【図３】
0005475061.tif 000004
【図４】
0005475061.tif 000005